(57)【要約】【課題】  表示領域の分割線に沿って設けられた電極の突き合せ部に生じる光抜けを低減することができる。【解決手段】  本発明に係る液晶表示装置１はストライプ状の複数の信号電極１１１と、これに直交するストライプ状の複数の走査電極１２１と、複数の信号電極１１１を表示領域Ａ中央部で分割する分割線に沿って、複数の信号電極１１１ａ、１１１ｂの端面を、間隔を空けて突き合せた突き合せ部１１３と、突き合せ部１１３に対向する第二の透明基板１２の内面上に設けられた液晶層厚調整層２００とを備えている。突き合せ部１１３における両透明基板１１、１２内面間距離から液晶層厚調整層２００の層厚を引いた距離は、複数の信号電極１１１ａ、１１１ｂと複数の走査電極１２１との間の距離Ｄ１以上で、両基板１１、１２の内面間距離から複数の信号電極１１１ａ、１１１ｂ厚を引いた距離Ｄ２以下とした。【選択図】  図１
2006301261.tif 000002
【特許請求の範囲】
【請求項１】
第一の基板の内面と第二の基板の内面とを対向させて、上記第一および第二の基板間で液晶層を挟持して構成され、表示領域を分割する液晶表示装置であって、
上記第一の基板の内面上にストライプ状に形成された複数の第一の透明電極と、
上記第二の基板の内面上に上記複数の第一の透明電極と交差してストライプ状に形成された複数の第二の透明電極と、
上記複数の第一の透明電極に交差する表示領域分割線に沿って、上記複数の第一の透明電極の上記分割線側の端面を、間隔を空けて突き合せた突き合せ部と、
絶縁性樹脂により形成され、上記突き合せ部または／および上記突き合せ部に対向する上記第二の基板の内面上に設けられた液晶層厚調整層とを備え、
上記突き合せ部における上記第一および第二の基板の内面間の距離から上記液晶層厚調整層の層厚を差し引いた距離は、上記複数の第一の透明電極と上記複数の第二の透明電極との間の距離以上であって、上記第一および第二の基板の内面間の距離から上記第一または第二の透明電極厚を差し引いた距離以下であることを特徴とする液晶表示装置。
【請求項２】
上記液晶層厚調整層は、無色または有色の絶縁性透明樹脂により形成されたことを特徴とする請求項１に記載の液晶表示装置。
【請求項３】
上記液晶層厚調整層は、更に上記複数の第一の透明電極間と上記複数の第二の透明電極間の一方または両方に設けられたことを特徴とする請求項１に記載の液晶表示装置。
【請求項４】
上記液晶層厚調整層の層厚は、上記第一の透明電極厚または／および第二の透明電極厚と略同一寸法であることを特徴とする請求項３に記載の液晶表示装置。
【発明の詳細な説明】
【技術分野】
【０００１】
本発明は液晶表示装置に関し、特に表示領域を中央部で分割する２画面駆動方式等の液晶表示装置に関する。
【背景技術】
【０００２】
近年、携帯電話機、携帯情報端末、電子手帳、携帯型テレビ等の多くの電子機器に、液晶表示装置が組み込まれるようになった。
また、フルドットタイプであって、高いデユーティー（duty）仕様の液晶表示装置では２画面駆動方式が採用されている。
例えば、上画面用の信号電極と下画面用の信号電極とが、表示画面の中央部を境にして上下対称にそれぞれ別個に設けられ、上画面の信号電極および走査電極と、下画面用の信号電極および走査電極とを、それぞれ別の駆動回路により駆動する上下分割２画面駆動方式の液晶表示装置が提案されている（特許文献１）。
【０００３】
このような２画面駆動方式の液晶表示装置では、一画面構成の液晶表示装置に比較して、良好なコントラストが得られるという利点を有している。
【特許文献１】特開２００２−１９６７２７号公報（図１、段落００２８〜段落００３０）
【発明の開示】
【発明が解決しようとする課題】
【０００４】
しかし、例えば、特許文献１に示されるような上下２分割２画面駆動方式の液晶表示装置では、信号電極は上画面用と下画面用とに表示領域の中央部で分割切断されており、信号電極の切断端面の間に設けられる信号電極の突き合せ部では、上画面用の信号電極および下画面用の信号電極が全く存在していない。また、突き合せ部に対向する基板上にも、走査電極が全く存在しない。従って、信号電極および走査電極の少なくとも一方が存在する部分の液晶層の層厚に比べて、突き合せ部の液晶層の層厚が大きくなってしまい、液晶の光学補償がずれてしまっていた。
【０００５】
このため、液晶表示装置の表示画面のうち、液晶表示装置の中央部に設けられ、表示領域の分割線上に設けられた突き合せ部の位置に光抜けが生じてしまい、突き合せ部に沿って白線が表示されてしまっていた。特に、反射膜を有しない透過型液晶表示装置において、顕著に白線が表示されてしまっていた。
本発明はこのような問題に鑑みてなされたものであり、表示領域の分割線上に設けられた電極の突き合せ部に生じる光抜けを低減し、表示品質の高い液晶表示装置を提供することを目的としている。
【課題を解決するための手段】
【０００６】
本発明に係る液晶表示装置は、第一の基板の内面と第二の基板の内面とを対向させて、第一および第二の基板間で液晶層を挟持して構成され、表示領域を分割する液晶表示装置であって、第一の基板の内面上にストライプ状に形成された複数の第一の透明電極と、第二の基板の内面上に複数の第一の透明電極と交差してストライプ状に形成された複数の第二の透明電極と、複数の第一の透明電極に交差する表示領域分割線に沿って、複数の第一の透明電極の上記分割線側の端面を、間隔を空けて突き合せた突き合せ部と、絶縁性樹脂により形成され、突き合せ部または／および突き合せ部に対向する上記第二の基板の内面上に設けられた液晶層厚調整層とを備え、突き合せ部における第一および第二の基板の内面間の距離から液晶層厚調整層の層厚を差し引いた距離は、複数の第一の透明電極と複数の第二の透明電極との間の距離以上であって、第一および第二の基板の内面間の距離から第一または第二の透明電極厚を差し引いた距離以下であることを特徴とするものである。
このような構成にしたことにより、表示領域の分割線に沿って設けられた電極の突き合せ部に生じる光抜けを低減することができる。
【０００７】
また、液晶層厚調整層は、無色または有色の絶縁性透明樹脂により形成されてもよい。これにより、液晶層調整層を視認し難くすることができる。
【０００８】
また、液晶層厚調整層は、更に複数の第一の透明電極間と複数の第二の透明電極間の一方または両方に設けられてもよい。
更に、液晶層厚調整層の層厚は、第一の透明電極厚または／および第二の透明電極厚と略同一寸法であってもよい。
これにより、表示領域の分割線に沿って設けられた突き合せ部に生じる光抜けをより安定的に低減することができる。
【発明の効果】
【０００９】
本発明によれば、表示領域の分割線に沿って設けられた電極の突き合せ部に生じる光抜けを低減することができる。
【発明を実施するための最良の形態】
【００１０】
発明の実施の形態１．
本発明の実施の形態１に係る液晶表示装置の構成について、図に基づいて説明する。
図１は本発明の実施の形態１に係る液晶表示装置の構成を示す模式断面図である。
図２は本発明の実施の形態１に係る液晶表示装置の突き合せ部近傍の信号電極および走査電極の平面透視図である。なお、図２では、図１の紙面左側を図２の紙面上側、図１の紙面右側を図２の紙面下側に配置して、信号電極および走査電極の構成を示している。
図１に示されるように、本発明の実施の形態１に係る液晶表示装置１は、第一の透明基板１１の内面と第二の透明基板１２の内面とを互いに対向させて、第一および第二の透明基板１１、１２の間で液晶層１３を挟持して構成されている。
【００１１】
両透明基板１１、１２の間には、全範囲にわたり、樹脂粒子により形成されたスペーサ１４が散布され、透明基板１１、１２間の周囲をシール材１５により貼り合わせている。
また、図１に示されるように、本発明の実施の形態１に係る液晶表示装置１において、表示領域Ａは、表示領域Ａの中央部で上表示領域Ａ１および下表示領域Ａ２に分割して構成されている。
第一および第二の透明基板１１、１２は、例えば光透過性のあるガラス、ポリカーボネート、アクリル樹脂等により矩形状に形成される。
図１および図２に示されるように、複数の第一の透明電極としての複数の信号電極１１１が、第一の透明基板１１の内面上にストライプ状に形成されている。
【００１２】
図１および図２に示されるように、複数の信号電極１１１は、表示領域Ａの中央部で、複数の信号電極１１１に対して直交方向の分割線Ｘ−Ｘに沿って、複数の上表示領域用の信号電極１１１ａと複数の下表示領域用の信号電極１１１ｂとに分割されている。
複数の上表示領域用の信号電極１１１ａおよび複数の下表示領域用の信号電極１１１ｂは、フォトリソグラフィ法により例えばＩＴＯ（Indium Tin Oxide）の透明導電性薄膜により形成される。
【００１３】
図１および図２に示されるように、第二の透明基板１２の内面上には、複数の第二の透明電極として複数の走査電極１２１が形成されている。
複数の走査電極１２１は、複数の信号電極１１１と直交してストライプ状に配列されて形成されている。
複数の走査電極１２１は、フォトリソグラフィ法により例えばＩＴＯ（Indium Tin Oxide）の透明導電性薄膜により形成される。
【００１４】
また、図１および図２に示されるように、突き合せ部１１３が、複数の信号電極１１１を表示領域Ａの中央部で分割する分割線Ｘ−Ｘに沿って、複数の上表示領域用の信号電極１１１ａの分割線側の端面と複数の下表示領域用の信号電極１１１ｂの分割線側の端面を、間隔（例えば０．０２×１０−３ｍｍ）を空けて突き合せて設けられている。この突き合せ部１１３には、電極が全く存在しない。また、この突き合せ部１１３に対向する第二の透明基板１２の内面上にも、電極が全く存在しない。
図１に示されるように、液晶層厚調整層２００は、突き合せ部１１３に対向する第二の透明基板１２の内面上に設けられている。なお、液晶層厚調整層２００の材料には、例えば、アクリル樹脂、エポキシ樹脂、ポリイミド樹脂、シリコーン樹脂等の絶縁性樹脂が用いられ、無色透明または有色透明のものが用いられる。液晶層厚調整層２００を透明樹脂で形成することにより、液晶層厚調整層２００を目立たなくできる。
【００１５】
また、配向膜（不図示）が、各透明基板１１、１２の内面全面にわたり、複数の信号電極１１１ａ、１１１ｂ、複数の走査電極１１２および液晶層厚調整層２００の上に積層されて形成されている。配向膜は、例えば高分子材料であるポリイミド薄膜等の有機薄膜で形成され、液晶層１３内の液晶の分子を所定の方向に揃える役割を果たす。
このように構成された本発明の実施の形態１に係る液晶表示装置１は、複数の走査電極１２１および複数の信号電極１１１ａ、１１１ｂに対して選択的に電位を与えて、電位が与えられた走査電極と信号電極とが交差する領域で、液晶層１３の液晶の配列を変化させることにより、液晶表示装置１の光の透過を制御して、表示領域Ａ内に文字等の表示を行う。この際、複数の上表示領域用の信号電極１１１ａおよび複数の走査電極１２１と、複数の下表示領域用の信号電極１１１ｂおよび複数の走査電極１２１とが、それぞれ別の駆動回路（不図示）により独立して駆動される。
【００１６】
ここで、液晶層厚調整層２００は、突き合せ部１１３における第一および第二の透明基板１１、１２の内面間の距離から液晶層厚調整層２００の層厚を差し引いた距離Ｄａが、複数の信号電極１１１ａ、１１１ｂと複数の走査電極１２１との間の距離Ｄ１以上であって、第一および第二の透明基板１１、１２の内面間の距離から複数の信号電極１１１ａ、１１１ｂ厚または複数の走査電極１２１厚を差し引いた距離Ｄ２以下となるように形成されている。なお、図１では、例示的に、Ｄ２は、第一および第二の透明基板１１、１２の内面間の距離から複数の信号電極１１１ａ、１１１ｂ厚を差し引いた距離で示している。
【００１７】
以上のように、この実施の形態によれば、液晶層厚調整層２００を設けて、突き合せ部１１３における第一および第二の透明基板１１、１２間の距離から液晶層調整層２００の層厚を差し引いた距離Ｄａが、複数の信号電極１１１ａ、１１１ｂと複数の走査電極１２１との間の距離Ｄ１以上であって、第一および第二の透明基板１１、１２の内面間の距離から複数の信号電極１１１ａ、１１１ｂ厚または複数の走査電極１２１厚を差し引いた距離Ｄ２以下となるように構成したことにより、ＤａをＤ１≦Ｄａ≦Ｄ２の範囲に収めることができ、突き合せ部１１３における液晶層１３の層厚とその他の領域における液晶層１３の層厚との差を減少させることができ、表示領域Ａの分割線Ｘ―Ｘに沿って設けられた突き合せ部１１３に生じる光抜けを低減することができる。
【００１８】
例えば、複数の走査電極１２１を幅３００μｍ、複数の走査電極１２１間の隙間を３０μｍ、突き合せ部の幅を２０μｍ、複数の走査電極１２１厚および複数の信号電極１１１ａ、１１１ｂ厚を０．１５μｍ〜０．４μｍとし、液晶層厚調整層２００の層厚を複数の走査電極１２１厚および複数の信号電極１１１ａ、１１１ｂ厚に合わせて、透過型液晶表示装置として液晶表示装置１を構成した。この結果、図１に示されるように、Ｄ１＜Ｄａ＝Ｄ２となり、突き合せ部１１３に生じる光抜けの発生はなかった。
なお、図１では、突き合せ部１１３に対向する第二の透明基板１２の内面上にのみ、液晶層厚調整層２００を設けたが、複数の走査電極１２１の各電極間にもそれぞれ液晶層厚調整層２００を設けてもよい。
【００１９】
このように構成することにより、スペーサ１４が複数の走査電極１２１の間に落ち込んでしまうことを防止でき、複数の信号電極１１１ａ、１１１ｂと複数の走査電極１２１との間の距離Ｄ１や、第一および第二の透明基板１１、１２の内面間の距離から複数の信号電極１１１ａ、１１１ｂ厚または複数の走査電極１２１厚を差し引いた距離Ｄ２を、表示領域の全面で、より均一にさせることができ、表示領域Ａの分割線Ｘ−Ｘに沿って設けられた突き合せ部１１３に生じる光抜けをより安定的に低減することができる。
【００２０】
また、更に、全ての液晶層厚調整層２００の層厚を、複数の走査電極１２１厚と同一寸法としてもよい。
これにより、複数の走査電極１２１の間に段差がなくなるため、Ｄ１やＤ２を表示領域の全面でより均一にさせることができ、表示領域Ａの分割線Ｘ−Ｘに沿って設けられた突き合せ部１１３に生じる光抜けを更に、より安定的に低減することができる。
【００２１】
発明の実施の形態２．
次に、本発明の実施の形態２に係る液晶表示装置を、図に基づいて説明する。
図３は、本発明の実施の形態２に係る液晶表示装置の構成を示す模式断面図である。
図１に示される実施の形態１に係る液晶表示装置１では、液晶層厚調整層２００は、突き合せ部１１３に対向する第二の透明基板１２の内面上に設けられているのに対し、図３に示される実施の形態２に係る液晶表示装置１ａでは、液晶層厚調整層２０１は、突き合せ部１１３上に設けられている点で、相違する。
【００２２】
そして、液晶層厚調整層２０１は、突き合せ部１１３における第一および第二の透明基板１１、１２の内面間の距離から液晶層厚調整層２０１の層厚を差し引いた距離Ｄｂが、複数の信号電極１１１ａ、１１１ｂと複数の走査電極１２１との間の距離Ｄ１以上であって、第一および第二の透明基板１１、１２の内面間の距離から複数の信号電極１１１ａ、１１１ｂ厚または複数の走査電極１２１厚を差し引いた距離Ｄ２以下となるように形成されている。なお、図３では、例示的に、Ｄ２は、第一および第二の透明基板１１、１２の内面間の距離から複数の信号電極１１１ａ、１１１ｂ厚を差し引いた距離で示している。
このような構成にしたことにより、上述した実施の形態１に係る液晶表示装置１と同様に、突き合せ部１１３における液晶層１２の層厚とその他の領域における液晶層１２の層厚との差を減少させることができ、表示領域Ａの分割線Ｘ−Ｘに沿って設けられた突き合せ部１１３に生じる光抜けを低減することができる。
【００２３】
なお、図３では、突き合せ部１１３にのみ、液晶層厚調整層２０１を設けたが、上表示領域用の信号電極１１１ａの間および下表示領域用の信号電極１１１ｂの間にもそれぞれ液晶層厚調整層２０１を設けてもよい。
このように構成することにより、スペーサ１４が複数の信号電極１１１ａ、１１１ｂの間に落ち込んでしまうことを防止でき、複数の信号電極１１１ａ、１１１ｂと複数の走査電極１２１との間の距離Ｄ１や、第一および第二の透明基板１１、１２の内面間の距離から複数の信号電極１１１ａ、１１１ｂ厚または複数の走査電極１２１厚を差し引いた距離Ｄ２を表示領域の全面で、より均一にさせることができ、表示領域Ａの分割線Ｘ−Ｘに沿って設けられた突き合せ部１１３に生じる光抜けをより安定的に低減することができる。
【００２４】
また、更に、全ての液晶層厚調整層２０１の層厚を、複数の信号電極１１１ａ、１１１ｂ厚と同一寸法としてもよい。
これにより、複数の信号電極１１１ａの間および複数の信号電極１１１ｂの間に段差がなくなるため、Ｄ１やＤ２を表示領域の全面でより均一にさせることができ、表示領域Ａの分割線Ｘ−Ｘに沿って設けられた突き合せ部１１３に生じる光抜けを更により安定的に低減することができる。
【００２５】
発明の実施の形態３．
次に、本発明の実施の形態３に係る液晶表示装置を、図に基づいて説明する。
図４は、本発明の実施の形態３に係る液晶表示装置の構成を示す模式断面図である。
図１に示される実施の形態１に係る液晶表示装置１では、液晶層厚調整部２００は、突き合せ部１１３に対向する第二の透明基板１２の内面上に設けられているのに対し、図４に示される実施の形態３に係る液晶表示装置１ｂでは、液晶層厚調整部２０２ａ、２０２ｂは、突き合せ部１１３上および突き合せ部１１３に対向する第二の透明基板１２の内面上にそれぞれ設けられている点で、相違する。
【００２６】
そして、液晶層厚調整層２０２ａ、２０２ｂは、突き合せ部１１３における第一および第二の透明基板１１、１２の内面間の距離から液晶層厚調整層２０２ａ、２０２ｂの層厚を差し引いた距離Ｄｃが、複数の信号電極１１１ａ、１１１ｂと複数の走査電極１２１との間の距離Ｄ１以上であって、第一および第二の透明基板１１、１２の内面間の距離から複数の信号電極１１１ａ、１１１ｂ厚または複数の走査電極１２１厚を差し引いた距離Ｄ２以下となるように、形成されている。なお、図４では、例示的に、Ｄ２は、第一および第二の透明基板１１、１２の内面間の距離から複数の信号電極１１１ａ、１１１ｂ厚を差し引いた距離で示している。
このような構成にしたことにより、上述した実施の形態１に係る液晶表示装置１と同様に、突き合せ部１１３における液晶層１２の層厚とその他の領域における液晶層１２の層厚との差を減少させることができ、表示領域Ａの分割線Ｘ−Ｘに沿って設けられた突き合せ部１１３に生じる光抜けを低減することができる。
【００２７】
なお、図４では、突き合せ部１１３および突き合せ部１１３に対向する第二の透明基板１２の内面上にのみ、液晶層厚調整層２０２ａ、２０２ｂを設けたが、複数の上表示領域用の信号電極１１１ａ間と複数の下表示領域用の信号電極１１１ｂ間の一方または両方に液晶層厚調整層２０２ａを設け、複数の走査電極１２１間にそれぞれ液晶層調整層２０２ｂを設けてもよい。
このように構成することにより、スペーサ１４が複数の信号電極１１１ａ、１１１ｂ間や複数の走査電極１２１間に落ち込んでしまうことを防止でき、複数の信号電極１１１ａ、１１１ｂと複数の走査電極１２１との間の距離Ｄ１や、第一および第二の透明基板１１、１２の内面間の距離から複数の信号電極１１１ａ、１１１ｂ厚または複数の走査電極１２１厚を差し引いた距離Ｄ２を表示領域の全面で、より均一にさせることができ、表示領域Ａの分割線Ｘ−Ｘに沿って設けられた突き合せ部１１３に生じる光抜けをより安定的に低減することができる。
【００２８】
また、更に、全ての液晶層厚調整層２０２ａの層厚を、複数の走査電極１２１厚と同一寸法としてもよく、全ての液晶層厚調整層２０２ｂの層厚を、複数の信号電極１１１ａ、１１１ｂ厚と同一寸法としてもよい。更には、全ての液晶層厚調整層２０２ａの層厚を、複数の走査電極１２１厚と同一寸法とし、全ての液晶層厚調整層２０２ｂの層厚を、複数の信号電極１１１ａ、１１１ｂ厚と同一寸法としてもよい。
これにより、複数の走査電極１２１間や複数の信号電極１１１ａ、１１１ｂ間に段差がなくなるため、Ｄ１やＤ２を表示領域Ａの全面でより均一にさせることができ、表示領域Ａの分割線Ｘ−Ｘに沿って設けられた突き合せ部１１３に生じる光抜けを更により安定的に低減することができる。
【図面の簡単な説明】
【００２９】
【図１】本発明の実施の形態１に係る液晶表示装置の構成を示す模式断面図である。
【図２】本発明の実施の形態１に係る液晶表示装置の突き合せ部近傍の信号電極および走査電極の平面透視図である。
【図３】本発明の実施の形態２に係る液晶表示装置の構成を示す模式断面図である。
【図４】本発明の実施の形態３に係る液晶表示装置の構成を示す模式断面図である。
【符号の説明】
【００３０】
１、１ａ、１ｂ  液晶表示装置
１１  第一の透明基板
１１１  信号電極
１１１ａ  複数の上表示領域用の信号電極
１１１ｂ  複数の下表示領域用の信号電極
１２  第二の透明基板
１２１  走査電極
１３  液晶層
１４  スペーサ
１５  シール材
２００、２０１、２０２ａ、２０２ｂ  液晶層厚調整層
Ａ  表示領域
Ａ１  上表示領域
Ａ２  下表示領域
【図１】
2006301261.tif 000003
【図２】
2006301261.tif 000004
【図３】
2006301261.tif 000005
【図４】
2006301261.tif 000006